(57)【要約】      （修正有）【課題】扉面からの突出部分が小さく、小型化したサムターンを提供する。【解決手段】サム座２と、前方に突設されてサム軸３と共に軸回転可能に取付けられてなる摘み５と、摘み５に設けられたボタンと係合可能な係合部が設けられてなる腕部材１３とを有する防犯サムターン１である。ボタン８ａを押し込むと、係合部は、摺動突部３７を切り欠きの解放端から奥端へ向かって摺動させながら腕部材１３を前方へ移動させると共に、ロック用突出部をロック溝から脱離させる。【選択図】図２
2019112850.tif 000002
【特許請求の範囲】
【請求項１】
サム軸が挿通されてなる挿通孔を有してなるサム座と、
前記サム座の前面から前方に突設されると共に前記サム座の前面に対して略垂直な摘み面を有し、前記サム軸と共に軸回転可能に取付けられてなる摘みと、
前記摘み面に設けられてなるボタンと、
前記ボタンよりもサム軸の軸中心側において前記サム軸に沿って後方に延設される腕部材と、
前記腕部材の後端部を構成し、前記サム軸の外周面に設けられてなる係止溝に前後方向に摺動可能に嵌め込まれてなると共に、前記係止溝から径方向外方に突出してなるロック用突出部を有するロックピースと、
前記サム軸が貫通されてなる貫通孔、及び前記ロック用突出部を前方向から嵌め込み可能に形成されたロック溝を有し、前記サム座に固定されてなるサム座軸受と、
前後方向に斜めに切り込まれた切り欠き、及び当該切り欠きに入出可能な摺動突部によって構成されてなると共に、前記摘みの内部において前記ボタン及び前記腕部材を係合可能とする係合部と、を備え、
前記ボタンを押し込むと、前記係合部は、前記摺動突部を前記切り欠きの解放端から奥端へ向かって摺動させながら前記腕部材を前方へ移動させると共に、前記ロック用突出部を前記ロック溝から脱離させる
ことを特徴とする防犯サムターン。
【請求項２】
前記係止溝の後端内面が、前記サム軸を解錠する方向に軸回転させると、前記ロック用突出部を前方に押し可能なカム面に形成され、
前記サム軸を解錠する方向に軸回転させると、前記カム面が前記ロック用突出部を前方に押し出して前記ロック溝から離脱させる
ことを特徴とする請求項１に記載の防犯サムターン。
【請求項３】
前記切り欠きは、前記ボタンのサム軸の軸中心側の端面に前記解放端を有して前記摘み面に向かって形成されてなる
ことを特徴とする請求項１又は請求項２に記載の防犯サムターン。
【請求項４】
前記ボタンが、前記摘みにおいて前記サム軸を挟んで設けられてなる一対の前記摘み面のそれぞれに設けられてなる第一ボタン及び第二ボタンによって構成されてなる
ことを特徴とする請求項１〜３のいずれかに記載の防犯サムターン。
【請求項５】
前記切り欠きが、前記第一ボタン及び前記第二ボタンのそれぞれに設けられてなる
ことを特徴とする請求項４に記載の防犯サムターン。
【発明の詳細な説明】
【技術分野】
【０００１】
本発明は、扉に取り付けて使用する防犯サムターンに関する。
【背景技術】
【０００２】
従来より、サムターン回しによる不法な住居侵入を防止するため、サムターン回し防止機構を備えた防犯サムターンが開発されていた。
【先行技術文献】
【特許文献】
【０００３】
【特許文献１】特開２００６-１９３９５１号公報
【発明の概要】
【発明が解決しようとする課題】
【０００４】
しかし、従来技術はサムターン回し防止機構を付加するため、サムターンが大型化し、扉面からの突出部分を大きくせざるを得ないという問題があった。
【課題を解決するための手段】
【０００５】
そこで、上記課題を解決する手段として本発明に係る防犯サムターンは、サム軸が挿通されてなる挿通孔を有してなるサム座と、前記サム座の前面から前方に突設されると共に前記サム座の前面に対して略垂直な摘み面を有し、前記サム軸と共に軸回転可能に取付けられてなる摘みと、前記摘み面に設けられてなるボタンと、前記ボタンよりもサム軸の軸中心側において前記サム軸に沿って後方に延設される腕部材と、前記腕部材の後端部を構成し、前記サム軸の外周面に設けられてなる係止溝に前後方向に摺動可能に嵌め込まれてなると共に、前記係止溝から径方向外方に突出してなるロック用突出部を有するロックピースと、前記サム軸が貫通されてなる貫通孔、及び前記ロック用突出部を前方向から嵌め込み可能に形成されたロック溝を有し、前記サム座に固定されてなるサム座軸受と、前後方向に斜めに切り込まれた切り欠き、及び当該切り欠きに入出可能な摺動突部によって構成されてなると共に、前記摘みの内部において前記ボタン及び前記腕部材を係合可能とする係合部と、を備え、前記ボタンを押し込むと、前記係合部は、前記摺動突部を前記切り欠きの解放端から奥端へ向かって摺動させながら前記腕部材を前方へ移動させると共に、前記ロック用突出部を前記ロック溝から脱離させることを特徴とする。
【０００６】
また、前記係止溝の後端内面が、前記サム軸を解錠する方向に軸回転させると、前記ロック用突出部を前方に押し可能なカム面に形成され、前記サム軸を解錠する方向に軸回転させると、前記カム面が前記ロック用突出部を前方に押し出して前記ロック溝から離脱させることとしても好ましい。
【０００７】
さらに、前記切り欠きは、前記ボタンのサム軸の軸中心側の端面に前記解放端を有して前記摘み面に向かって形成されてなることとしても好ましい。
【０００８】
さらにまた、前記切り欠きは、前記ボタンのサム軸の軸中心側の端面に前記解放端を有して前記摘み面に向かって形成されてなることとしても好ましい。
【０００９】
また、前記ボタンが、前記摘みにおいて前記サム軸を挟んで設けられてなる一対の前記摘み面のそれぞれに設けられてなる第一ボタン及び第二ボタンによって構成されてなることとしても好ましい。
【００１０】
さらに、前記切り欠きが、前記第一ボタン及び前記第二ボタンのそれぞれに設けられてなることとしても好ましい。
【発明の効果】
【００１１】
本発明によれば、係合部が摘み内部に収容することができるため、従来のサムターン回し防止機構を備える防犯サムターンよりもサム座の厚みを薄くすることができる。これにより、扉面からの突出部分が小さい防犯機能のないサムターンに用いられる厚みの薄いサム座を流用することができる。さらに、従来の防犯サムターンよりもサムターンの小型化を実現することができる。
【００１２】
また、ボタンが、摘みにおいてサム軸を挟んで設けられてなる一対の摘み面のそれぞれに設けられてなることにより、第一ボタン及び第二ボタンを互いに突き合う方向に押さなければ扉錠を解錠させることができないようにすることができる。このような構成によれば、ボタンが一方の摘み面にのみ設けられてなる場合によりもサムターン回しが困難な防犯サムターンを実現することができる。
【００１３】
さらに、前記第一係合部及び第二係合部を備えることにより、第一ボタン及び第二ボタンのうち、一方のボタンのみを押しただけではロック用突出部をロック溝から脱離させないようにすることができる。これにより、防犯機能をさらに高めた防犯サムターンを実現することができる。
【図面の簡単な説明】
【００１４】
【図１】ボタン８が押されていない状態の防犯サムターン１の全体斜視図である。
【図２】防犯サムターン１を構成するサム座２、サム軸３、及び摘み５を分解した様子の全体を示す分解斜視図である。
【図３】サム軸３と腕部材１３を分解した分解斜視図を示す。
【図４】摘み５及びサム軸３をサム座２から抜き取った様子を示す斜視図である。
【図５】ボタン８を押した状態の摘み５の様子を示す斜視図である。
【図６】シリンダー側からサム軸３を軸回転させて摘み５を解錠可能な状態とした様子を示す斜視図である。
【図７】ボタン８が押されていない状態の防犯サムターン１の右側面図である。
【図８】ボタン８が押されていない状態の防犯サムターン１のＡ−Ａ断面図である。
【図９】ボタン８が押されていない状態の防犯サムターン１のＢ−Ｂ断面図である。
【図１０】ボタン８が押されていない状態の防犯サムターン１のＣ−Ｃ断面図である。
【図１１】ボタン８が押されていない状態の防犯サムターン１のＤ−Ｄ断面図である。
【図１２】ボタン８が押されていない状態の防犯サムターン１のＥ−Ｅ断面図である。
【図１３】ボタン８が押されていない状態の防犯サムターン１のＦ−Ｆ断面図である。
【図１４】ボタン８が押された状態の防犯サムターン１の右側面図である。
【図１５】ボタン８が押された状態の防犯サムターン１のＧ−Ｇ断面図である。
【図１６】ボタン８が押された状態の防犯サムターン１のＨ−Ｈ断面図である。
【図１７】ボタン８が押された状態の防犯サムターン１のＩ−Ｉ断面図である。
【図１８】ボタン８が押された状態の防犯サムターン１のＪ−Ｊ断面図である。
【図１９】ボタン８が押された状態の防犯サムターン１のＫ−Ｋ断面図である。
【図２０】ボタン８が押された状態の防犯サムターン１のＬ−Ｌ断面図である。
【図２１】シリンダー側からサム軸３を軸回転させて摘み５を解錠可能な状態とした防犯サムターン１の右側面図である。
【図２２】シリンダー側からサム軸３を軸回転させて摘み５を解錠可能な状態とした防犯サムターン１のＭ−Ｍ断面図である。
【図２３】シリンダー側からサム軸３を軸回転させて摘み５を解錠可能な状態とした防犯サムターン１のＮ−Ｎ断面図である。
【図２４】シリンダー側からサム軸３を軸回転させて摘み５を解錠可能な状態とした防犯サムターン１のＯ−Ｏ断面図である。
【図２５】シリンダー側からサム軸３を軸回転させて摘み５を解錠可能な状態とした防犯サムターン１のＰ−Ｐ断面図である。
【図２６】シリンダー側からサム軸３を軸回転させて摘み５を解錠可能な状態とした防犯サムターン１のＱ−Ｑ断面図である。
【図２７】シリンダー側からサム軸３を軸回転させて摘み５を解錠可能な状態とした防犯サムターン１のＲ−Ｒ断面図である。
【図２８】ボタン８ａのみを押し込もうとした状態の防犯サムターン１の右側面図である。
【図２９】ボタン８ａのみを押し込もうとした状態の防犯サムターン１のＳ−Ｓ断面図である。
【図３０】ボタン８ａのみを押し込もうとした状態の防犯サムターン１のＴ−Ｔ断面図である。丸囲み内には、第一ボタン８ａのみを押し込もうとした場合に、傾斜板３８ａの前面が切り欠き４６ｂの解放端４７ｂに当接して切り欠き４６ｂ内への進入が制限される様子の拡大図を示す。
【図３１】ボタン８ａのみを押し込もうとした状態の防犯サムターン１のＵ−Ｕ断面図である。
【図３２】ボタン８ａのみを押し込もうとした状態の防犯サムターン１のＶ−Ｖ断面図である。
【図３３】ボタン８ａのみを押し込もうとした状態の防犯サムターン１のＷ−Ｗ断面図である。
【図３４】ボタン８ａのみを押し込もうとした状態の防犯サムターン１のＸ−Ｘ断面図である。
【発明を実施するための形態】
【００１５】
以下、本発明に係る実施の形態を、図を参照しながら詳しく説明する。なお、本明細書及び図面において、実質的に同一の機能構成を有する構成要素については、同一の符号を付することにより重複説明を省略する。
【００１６】
図１は、解錠状態の防犯サムターン１の全体斜視図である。図示しない扉面に対して、ネジ止め可能なサム座２を、サム軸３が後方から前方へ突き抜けて挿通されてなり、サム座２の前面４には摘み５が突設されてなる。
【００１７】
摘み５は、サム座２の前面４に対して略垂直な摘み面６を有する中空のケース７を備えてなり、摘み面６は施錠状態において水平とされている。また、本実施の形態において、摘み面６は、サム軸３を挟んで一対の摘み面６ａ、６ｂが設けられてなる。
【００１８】
摘み面６ａ、６ｂのそれぞれには第一ボタン８ａ、第二ボタン８ｂが設けられてなる。以下、第一ボタン８ａ、及び第二ボタン８ｂを合わせてボタン８という場合がある。ボタン８は、摘み面６に対して押し込むことができる。
【００１９】
扉を施解錠しようとする者は、摘み５を軸回転させることによってサム軸３も軸回転させることができ、サム軸３に接続された図示しない扉錠の施錠状態と解錠状態を切り替えることができる。
【００２０】
サム座２は、前面４に設けられたネジ穴２ａ、２ｂに挿し入れたネジによって扉面に固定することができる。
【００２１】
図２は、防犯サムターン１を構成するサム座２、サム軸３、及び摘み５を分解した様子の全体を示す分解斜視図である。
【００２２】
サム軸３は、サム軸基部９の前端に、サム軸基部９よりも径の細いサム軸柱１０が螺合された棒体状に構成されてなる。サム軸柱１０には、サム軸３の軸方向に沿って前後に摺動可能に設けられてなるスライドピース１１及びロックピース１２が互いに前後方向に連結されて腕部材１３を構成してなる。
【００２３】
図３には、サム軸３と腕部材１３を分解した分解斜視図を示す。
【００２４】
スライドピース１１は、サム軸３の左右の周面に沿って摺動する棒体状の一対のスライド腕部１４、１４が、サム軸柱１０を挿通可能なスライドピースガイド環１５によって連結されて一体に成形されてなる。
【００２５】
ロックピース１２は、サム軸３の左右の周面に沿って摺動する棒体状の一対のロック腕部１６、１６が、サム軸柱１０を挿通可能なロックピースガイド環１７によって連結されて一体に成形されてなる。
【００２６】
スライドピース１１を構成するスライド腕部１４の後端部には後端連結爪１８が形成され、ロックピース１２を構成するロック腕部１６，１６の前端部には後端連結爪１８と互いに係合可能な前端連結爪１９が形成されてなり、後端連結爪１８と前端連結爪１９とが係合されてスライドピース１１とロックピース１２とが一体に連動する腕部材１３を構成してなる。
【００２７】
また、サム軸柱１０にはつる巻バネからなるロックバネ２１が装着されてなる。ロックバネ２１の後端は、ロックピースガイド環１７の前面に当接されてなり、ロックバネ２１の前端は、サム軸柱１０の中間部が拡径して形成されてなる段差面２０に当接されてなる。このような構成により、腕部材１３には、ロックバネ２１によって常に後方へ押し付けられる向きに力が加えられる。
【００２８】
なお、ロックピースガイド環１７は、開口径がロックバネ２１の外径よりも小さく形成されてなることによって、サム軸柱１０を挿通可能であると共に、ロックバネ２１の後端がロックピースガイド環１７の前面に当接可能に形成されてなる。
【００２９】
一方、スライドピースガイド環１５は、開口径がロックバネ２１の外径よりも大きく形成されてなり、スライドピース１１がサム軸３に沿って摺動しても、スライドピースガイド環１５がロックバネ２１に干渉しない。さらに、スライドピースガイド環１５は、サム軸柱１０の拡径部分２２の外径よりも大きく形成されて、スライドピース１１がサム軸３に沿って摺動する場合に、拡径部分２２の周面に対面する範囲内で動くことによって、ロックバネ２１への干渉をより効果的に回避しつつスライドピース１１のガイド機能を発揮する。
【００３０】
図３に示すように、サム軸基部９の外周面には、ロック腕部１６，１６が前後方向に摺動可能に嵌め込み可能な係止溝２３，２３が形成されてなる。ロック腕部１６，１６の後端部には、図２に示すように、係止溝２３，２３に嵌め込まれた状態で、当該係止溝２３，２３から径方向外方に突出してなるロック用突出部２４，２４が形成されてなる。
【００３１】
図２に示すように、サム座２の中央にはサム座軸受２５を嵌め込んで固定することができる固定凹部２６と、固定凹部２６の中央部を貫通してサム軸３を挿通可能に形成された挿通孔２７とが形成されてなる。
【００３２】
サム座軸受２５は、図４に示すように、サム軸３を貫通可能に形成されてなる貫通孔２８、及びロック用突出部２４，２４を前方向から嵌め込み可能に形成されたロック溝２９，２９を有する円環状に形成された部材であり、前端面から外周方向に延出してなる鍔３０が形成されてなる。
【００３３】
固定凹部２６の内側面には、左右に対面する位置に、回転防止溝３１，３１が形成されてなり、サム座軸受２５の左右の外周面から突設されてなる回転防止突部３２，３２を嵌め込むことによって、固定凹部２６に嵌め込まれたサム座軸受２５が回動しないように固定することができる。
【００３４】
図２に示すように、ロック溝２９，２９は、ロック腕部１６，１６と、それぞれ前後方向に対向する位置に設けられてなり、サム座軸受２５の前面から内周面にかけて切り欠き構造に形成されてなる。
【００３５】
サム座軸受２５の前面と対面する位置には、サムピースガイド３３が設置されている。サムピースガイド３３の後端部は、環状の円盤３４が形成されてなる。円盤３４の前面にはサム軸基部９の周面に沿って形成された円弧状板体のガイド板３５が上下に分割して前方に突設されてなる。ガイド板３５が分割されてなる左右端部は、それぞれ径方向外方に屈曲された屈曲部からなるロックピースガイド３６に形成されてなる。ロックピースガイド３６は、前後方向に摺動するロックピース１２の軸回転を抑制する機能を備える。
【００３６】
スライドピース１１のスライド腕部１４，１４の外側面には、外方に突設されてなる摺動突部３７，３８が設けられてなる。
【００３７】
図２において、サム座２の前面に向かって右手方向に突設されてなる摺動突部３７は、上方から下方に向かうに従って前方から後方に傾斜してなる傾斜板３７ａ、及び傾斜板３７ａの外側面から下方に屈曲されてなる係合ガイド３７ｂによって構成されてなる。
【００３８】
また図２において、サム座２の前面に向かって左手方向に突設されてなる摺動突部３８は、上方から下方に向かうに従って後方から前方に傾斜してなる傾斜板３８ａ、及び傾斜板３８ａの外側面から上方に屈曲されてなる係合ガイド３８ｂによって構成されてなる。
【００３９】
図２に示すように、第一ボタン８ａ及び第二ボタン８ｂは、サム軸柱１０の軸中心Ｙを対称軸として、サム軸柱１０の上側と下側とに配置されてなる。第一ボタン８ａ及び第二ボタン８ｂには、それぞれバネ取付柱３９，３９、及びバネ受け４０，４０を備えてなり、互いのバネ取付柱とバネ受けとを向かい合わせとなる位置において、バネ取付柱にバネ４１，４１を装着させると共に、バネ受け４０，４０に挿し込まれてなる。バネ４１，４１は、ボタン８を押し込む力に対して抵抗する向きに力を加え、押し込まれたボタン８から押し込む力が解放されると元の位置へ押し戻す。
【００４０】
ボタン８は、図２に示すように、指で直接触れながら軸中心Ｙに向かって押し込む押込み凸部４２（４２ａ、４２ｂ）と、押込み凸部４２の軸中心Ｙ側の端部周面から延出してなる止め板４３（４３ａ、４３ｂ）によって構成されてなる。
【００４１】
図２に示すように、ケース７の摘み面６には凸部４２の上部が外部に突出可能なボタン穴４４（４４ａ、４４ｂ）が形成されてなる。止め板４３は、それぞれのボタン穴４４よりも大きな外縁形状を備えている。これにより、押し込む力が解放されたボタン８を、止め板４３が摘み５の内側面に当接してバネ４１，４１の力を止めることで、図１に示すように、ボタン穴４４から一定の高さ突出する位置に留めることができる。
【００４２】
さらに、止め板４３から軸中心Ｙ側に対して垂直に延出してなる側壁４５（４５ａ、４５ｂ）には、切り欠き４６（４６ａ、４６ｂ）が形成されてなる。切り欠き４６は、前後に幅狭の直線状の切り欠きであり、側壁４５の軸中心Ｙ側の端縁に形成された解放端４７（４７ａ，４７ｂ）から、それぞれのボタン８が装着された摘み５の摘み面６に向かうに従って前方向、若しくは後方向に斜めに切り込んだ形状に形成されてなる。
【００４３】
本実施の形態においては、図２に示すように切り欠き４６ａは、サム座２の正面に対して上側に配置された第一ボタン８ａの右側から下方向に延出してなる側壁４５ａに設けられてなる。切り欠き４６ａは、解放端４７ａから摘み面６ａに向かうに従って前方に向かって斜めに切り込んだ形状に形成されてなる。
【００４４】
一方、図２に示すように切り欠き４６ｂは、サム座２の正面に対して下側に配置された第二ボタン８ｂの左側から上方向に延出してなる側壁４５ｂに設けられてなる。切り欠き４６ｂは、解放端４７ｂから摘み面６ｂに向かうに従って前方に向かって斜めに切り込んだ形状に形成されてなる。
【００４５】
摺動突部３７は、切り欠き４６ａと共に、第一ボタン８ａが押し込まれると傾斜板３７ａが切り欠き４６ａの解放端４７ａから奥端４８ａへ向かって摺動する係合部４９ａを構成する。一方、摺動突部３８は、切り欠き４６ｂと共に、第二ボタン８ｂが押し込まれると傾斜板３８ａが切り欠き４６ｂの解放端４７ｂから奥端４８ｂに向かって摺動する係合部４９ｂを構成する。
【００４６】
ケース７は、上下に分割されてなり、サム軸３の前端部、腕部材１３、及びボタン８を内部に挟み込んで摘み５を構成する。ケース７の後端は解放されてなり、サムピースガイド３３のガイド板３５を嵌め込むことができる。これにより、ロックピース１２のロック腕部１６，１６の後端部を後方に向かって出没させることができる。なお、摘み５を形成したケース７はネジ５０、５０によって固定される。
【００４７】
また、サム軸基部９の上下面には円筒状のバネ穴５１、５１が形成されてなり、バネ穴５１には小バネ５２、５２と、小バネ５２の外側端に設置されたクリックボール５３、５３とが収容されてなる。ケース７の内面には窪み５４、５４が形成されてなり、クリックボール５３の外表面の一部を、小バネ５２に押し付けられながらはめこむことができる。操作者がシリンダー側からサム軸３を軸回転させて施錠した際に、クリックボール５３が窪み５４はまりこんだ時のクリック感が、操作者の指に伝わることで、施錠位置を確認することができる。
【００４８】
図２に示すように、サム軸基部９の中央部周面には止め輪５５を嵌め込む止め輪溝５６が形成されてなる。サム座２の挿通孔２７を挿通されたサム軸３に、サム座２の後面からワッシャー５７及び止め輪５５を嵌め込んで、サム軸３がサム座２から抜け落ちることを防止する。
【００４９】
また、サム軸基部９の後端部の周面には、四方から軸中心に対して直角の面からなる鍵溝５８が後端に向かって形成されてなり、後端面が十字型に形成されてなる。図示しない扉錠のハブに、当該鍵溝５８が挿し入れられてサム軸３を軸回転させると、サム軸３の回転力によって扉錠の施解錠を行うことができる。なお、サム軸３は摘み５を軸回転させる場合の他、扉を挟んだ反対側に設けられたシリンダーに挿し込んだ鍵等によっても軸回転させることができる。
【００５０】
図７〜図１３に示すように、ロック用突出部２４，２４がロック溝２９，２９に嵌め込まれ、第一ボタン８ａと第二ボタン８ｂとが解放された状態においては、ロックバネ２１がロックピース１２を後方へ押し付けている。この場合、第一ボタン８ａ及び第二ボタン８ｂを押し込まずに摘み５を軸回転させようとしてもロック溝２９，２９に嵌め込まれたロック用突出部２４，２４の軸回転がサム座軸受２５によって制限される。そのため、サム軸３を軸回転させることができず、施錠状態の扉錠を解錠させることはできない。
【００５１】
また、本実施の形態においては、第一ボタン８ａ及び第二ボタン８ｂの両方を互いに突き合う方向に押さなければ腕部材１３を前方に移動させて、ロック溝２９，２９からロック用突出部２４，２４を解放することができない。一方の摘み面６にのみボタン８が設けられてなる場合には、ボタン８を押し下げるか、押し上げるかのいずれかの動作によってのみロック用突出部２４，２４を解放することができる。
【００５２】
しかし本実施の形態における構成によれば、ロック用突出部２４，２４を解放するために、一方の摘み面６にのみボタン８が設けられてなる場合よりも複雑な操作が必要となるため、サムターン回しがより困難で、防犯性の高い防犯サムターンを実現することができる。
【００５３】
扉錠を解錠しようとする者が、第一ボタン８ａと第二ボタン８ｂとを同時に押し込むと、図１４〜図２０に示すように、摺動突部３７，３８がそれぞれ切り欠き４６ａ，４６ｂに沿って解放端４７ａ，４７ｂから奥端４８ａ，４８ｂに向かって摺動し、係合部４９ａ，４９ｂが深く噛み合うことにより、腕部材１３を前方へ移動させる。これにより、図５に示すように、ロック用突出部２４，２４を、ロック溝２９，２９から前方へ脱離させることができる。従って、第一ボタン８ａと第二ボタン８ｂとを押し込むことにより、サム軸３の軸回転への制限を解除することができる。
【００５４】
また、第一ボタン８ａと第二ボタン８ｂとを押し込んだ状態であっても、ロックピース１２のロック腕部１６，１６は、係止溝２３，２３には係っているため、摘み５を軸回転させる力をサム軸３で伝達することができる。従って、第一ボタン８ａと第二ボタン８ｂとを押し込んだ状態で摘み５を軸回転させるとサム軸３を軸回転させることができ、施錠されていた扉錠を解錠させることができる。
【００５５】
次に、サム軸３が直接軸回転される場合の防犯サムターン１の動作について説明する。
【００５６】
サム軸３が直接軸回転される場合の例として、サム座２が取り付けられてなる扉面とは反対側の扉面に設けられたシリンダーとサム軸３とが連結されてなる場合に、前記シリンダーに挿し込んだ鍵を軸回転させることによってサム軸３が軸回転される場合等が挙げられる。
【００５７】
図２２に示すように、係止溝２３，２３の後端内面５９（５９ａ，５９ｂ）にはカム面６０（６０ａ，６０ｂ）が形成されてなる。本実施の形態において、カム面６０ａは、後端内面５９ａの下側隅部分に形成され、カム面６０ｂは、後端内面５９ｂの上側隅部分に形成されてなる。カム面６０は、後端内面５９の中央平坦部よりも前方に傾斜する傾斜面に形成されてなる。サム軸３を解錠する方向に軸回転させると、図６、及び図２１〜図２７に示すように、ロック用突出部２４，２４が前方に押し出されてロックピース１２をロック溝２９，２９から離脱させる。さらに鍵を回し続けると、サム軸３の軸回転の制限を超えて軸回転させることができ、施錠されていた扉錠を解錠させることができる。
【００５８】
次に、本実施の形態において、第一ボタン８ａ、若しくは第二ボタン８ｂのいずれかのみを押し込んだ場合の防犯機構について説明する。例として、第一ボタン８ａのみを押し込もうとした場合の動作について、図に基づいて説明する。
【００５９】
図２８〜図３４に示すように、第一ボタン８ａのみを押し込もうとした場合、傾斜板３７ａの前面が切り欠き４６ｂの解放端４７ｂに当接して切り欠き４６ｂ内への進入が阻害される。このため、第一ボタン８ａのみを押し込もうとしても腕部材１３を前方へ摺動させることができず、ロック用突出部２４を、ロック溝２９から脱離させることができない。従って、第一ボタン８ａのみを押し込もうとしてもサム軸３の軸回転の制限を解除することができない。なお、この場合、第一ボタン８ａは、ほとんどボタン穴４４ａには沈み込まない。これは、第二ボタン８ｂのみを押し込もうとした場合であっても同様である。
【００６０】
このような一方のボタン８のみを押し込もうとした場合にサム軸３の軸回転の制限を解除できないようにするためには、ボタン８がサム軸３を挟んで設けられてなる一対となる第一ボタン８ａ及び第二ボタン８ｂとから構成されてなることが好ましい。さらに、第一ボタン８ａ及び第二ボタン８ｂには、それぞれ摺動突部３７，３８及び切り欠き４６ａ，４６ｂに相当する構造が設けられ、それぞれのボタン８に設けられた摺動突部３７，３８及び切り欠き４６ａ，４６ｂが互いに噛み合う係合部４９を構成することが好ましい。一方のボタン８には摺動突部のみが設けられ、他方のボタン８には切り欠きのみが設けられる構造とした場合には、一方のボタン８のみを押し込もうとした場合にも容易に摺動突部が切り欠き内へ進入し、サム軸３の軸回転の制限を解除できないようにする効果が十分得られない可能性があるからである。
【００６１】
特に、このような一方のボタン８のみを押し込もうとしてもサム軸３の軸回転の制限が解除できないようにするために、傾斜板３７ａ，３８ａの前端に垂直面３７ｃ，３８ｃが形成されてなることが好ましい。傾斜板３７ａ，３８ａの前端面に垂直面３７ｃ，３８ｃを設けることで、一方のボタン８を押し込もうとした場合に、傾斜板３７ａ，３８ａに対応する解放端４７ａ，４７ｂに前記垂直面３７ｃ，３８ｃが当接することによって、前記垂直面３７ｃ，３８ｃに対して直角方向となる前方への腕部材１３の移動を効果的に止めることができるからである。
【符号の説明】
【００６２】
１  防犯サムターン
２  サム座
３  サム軸
５  摘み
７  ケース
８  ボタン
１１  スライドピース
１２  ロックピース
１３  腕部材
２１  ロックバネ
２３  係止溝
２４  ロック用突出部
２５  サム座軸受
２７  挿通孔
２８  貫通孔
２９  ロック溝
３７  摺動突部
３８  摺動突部
４５  側壁
４６  切り欠き
４７  解放端
４８  奥端
４９  係合部
５９  後端内面
６０  カム面
【図１】
2019112850.tif 000003
【図２】
2019112850.tif 000004
【図３】
2019112850.tif 000005
【図４】
2019112850.tif 000006
【図５】
2019112850.tif 000007
【図６】
2019112850.tif 000008
【図７】
2019112850.tif 000009
【図８】
2019112850.tif 000010
【図９】
2019112850.tif 000011
【図１０】
2019112850.tif 000012
【図１１】
2019112850.tif 000013
【図１２】
2019112850.tif 000014
【図１３】
2019112850.tif 000015
【図１４】
2019112850.tif 000016
【図１５】
2019112850.tif 000017
【図１６】
2019112850.tif 000018
【図１７】
2019112850.tif 000019
【図１８】
2019112850.tif 000020
【図１９】
2019112850.tif 000021
【図２０】
2019112850.tif 000022
【図２１】
2019112850.tif 000023
【図２２】
2019112850.tif 000024
【図２３】
2019112850.tif 000025
【図２４】
2019112850.tif 000026
【図２５】
2019112850.tif 000027
【図２６】
2019112850.tif 000028
【図２７】
2019112850.tif 000029
【図２８】
2019112850.tif 000030
【図２９】
2019112850.tif 000031
【図３０】
2019112850.tif 000032
【図３１】
2019112850.tif 000033
【図３２】
2019112850.tif 000034
【図３３】
2019112850.tif 000035
【図３４】
2019112850.tif 000036